(57)【要約】【課題】画像読み取り装置に配設された本体操作部による設定を可及的に可能にする。【解決手段】記録媒体に形成されている複数の画像を所定位置に順次搬送し、上記所定位置に搬送された画像を走査して画像データを得る画像読み取り装置に接続されたホストコンピュータ２８０、または画像読み取り装置本体に配設されたオペレーションパネル２７０から入力される走査条件に基づいて上記画像を走査する条件を設定する走査条件設定手段２５１を設け、上記ホストコンピュータ２８０が画像走査動作を開始した後は、上記オペレーションパネル２７０から入力される走査条件に拘わらず、上記ホストコンピュータ２８０によって設定された走査条件に従って画像走査を行うことにより、走査サイズが異なることによって画像データがスクランブル状態になってしまう不都合を防止する。【選択図】図１
2008219941.tif 000002
【特許請求の範囲】
【請求項１】
記録媒体に形成されている複数の画像を所定位置に順次搬送し、上記所定位置に搬送された画像を画像読取手段によって走査して画像データを得る画像読み取り装置であって、
上記画像読み取り装置に接続されたホストコンピュータから入力される走査条件、または画像読み取り装置本体に配設された本体操作部から入力される走査条件に基づいて上記画像を走査する条件を設定する走査条件設定手段を含む制御手段を具備し、
上記制御手段は、上記走査条件設定手段によって上記ホストコンピュータから設定された走査条件に従って上記画像読取手段に上記画像を走査させ、画像走査動作を開始する前に上記本体操作部から走査条件が入力された場合は、上記本体操作部から入力された走査条件を反映した条件に従って上記画像読取手段に上記画像を走査させることを特徴とする画像読み取り装置。
【請求項２】
上記画像読み取り装置は、画像情報を画面表示する表示手段を備え、上記表示手段に投影された画像を走査手段により走査して画像データを得ることを特徴とする請求項１に記載の画像読み取り装置。
【請求項３】
上記記録媒体はマイクロフィルムであることを特徴とする請求項１又は２に記載の画像読み取り装置。
【請求項４】
記録媒体に形成されている複数の画像を所定位置に順次搬送し、上記所定位置に搬送された画像を画像読み取り装置の画像読取手段で走査して画像データを得る画像読み取り方法であって、
上記画像読み取り装置に接続されたホストコンピュータから入力される走査条件、または画像読み取り装置本体に配設された本体操作部から入力される走査条件に基づいて上記画像を走査する条件を設定する走査条件設定工程を含む制御工程を有し、
上記制御工程においては、上記走査条件設定工程において上記ホストコンピュータから設定された走査条件に従って上記画像読取手段に上記画像を走査させ、画像走査動作を開始する前に上記本体操作部から走査条件が入力された場合は、上記本体操作部から入力された走査条件を反映した条件に従って上記画像読取手段に上記画像を走査させることを特徴とする画像読み取り方法。
【請求項５】
上記画像読み取り装置は、画像情報を画面表示する表示手段を備え、上記表示手段に投影された画像を走査手段により走査して画像データを得ることを特徴とする請求項４に記載の画像読み取り方法。
【請求項６】
上記記録媒体はマイクロフィルムであることを特徴とする請求項４又は５に記載の画像読み取り方法。
【請求項７】
請求項１〜３の何れか１項に記載の画像読み取り装置を構成する手段としてコンピュータを機能させるためのプログラムを格納したことを特徴とするコンピュータ読み取り可能な記憶媒体。
【請求項８】
請求項４〜６の何れか１項に記載の画像読み取り方法の工程をコンピュータに実行させるためのプログラムを格納したことを特徴とするコンピュータ読み取り可能な記憶媒体。
【請求項９】
記録媒体に形成されている画像を画像読取手段によって走査して画像データを得る画像読み取り装置であって、
上記画像読み取り装置に接続されたホストコンピュータから入力される走査条件、または画像読み取り装置本体に配設された本体操作部から入力される走査条件に基づいて上記画像を走査する条件を設定する走査条件設定手段を含む制御手段を具備し、
上記制御手段は、上記走査条件設定手段によって上記ホストコンピュータから設定された走査条件に従って上記画像読取手段に上記画像を走査させ、画像走査動作を開始する前に上記本体操作部から走査条件が入力された場合は、上記本体操作部から入力された走査条件を反映した条件に従って上記画像読取手段に上記画像を走査させることを特徴とする画像読み取り装置。
【請求項１０】
記録媒体に形成されている画像を画像読み取り装置の画像読取手段で走査して画像データを得る画像読み取り方法であって、
上記画像読み取り装置に接続されたホストコンピュータから入力される走査条件、または画像読み取り装置本体に配設された本体操作部から入力される走査条件に基づいて上記画像を走査する条件を設定する走査条件設定工程を含む制御工程を有し、
上記制御工程においては、上記走査条件設定工程において上記ホストコンピュータから設定された走査条件に従って上記画像読取手段に上記画像を走査させ、画像走査動作を開始する前に上記本体操作部から走査条件が入力された場合は、上記本体操作部から入力された走査条件を反映した条件に従って上記画像読取手段に上記画像を走査させることを特徴とする画像読み取り方法。
【請求項１１】
請求項９に記載の画像読み取り装置を構成する手段としてコンピュータを機能させるためのプログラムを格納したことを特徴とするコンピュータ読み取り可能な記憶媒体。
【請求項１２】
請求項１０に記載の画像読み取り方法の工程をコンピュータに実行させるためのプログラムを格納したことを特徴とするコンピュータ読み取り可能な記憶媒体。
【発明の詳細な説明】
【技術分野】
【０００１】
本発明は画像読み取り装置、画像読み取り方法及び記憶媒体に関し、特に、画像読み取り装置にホストコンピュータを外部接続した場合に用いて好適なものである。
【背景技術】
【０００２】
従来より、フィルムに形成された画像をスクリーン上に投影し、上記投影した画像をスキャニングして画像データを生成してイメージメモリに取り込むようにした、マイクロフィルムスキャナと呼ばれる装置が実用化されている。
【０００３】
上記マイクロフィルムスキャナにおいては、マイクロフィルムに形成した画像を所定位置に位置決めしておき、マイクロフィルムキャリア本体側に配置されている光源ランプ、球面ミラー、コンデンサレンズ等からなる照明手段により照明する。そして、その照明光のフィルム透過光を投影レンズ、プリズムレンズ、及び固定の複数のミラーリーダー部光学系によってリーダスクリーン（光学拡散板）の裏面に所定の倍率で拡大投影して、上記リーダスクリーンの表面側から拡大像として閲覧することができるようにしている（リーダモード）。
【０００４】
上述のようなスキャナユニットには、イメージセンサが配置されており、リーダモード時には上記イメージセンサは上記リーダスクリーンの上部に配置され、上記光路から待避した状態位置に保持されている。
【０００５】
そして、上記リーダスクリーンに拡大投影されたマイクロイメージのスキャニングを行う場合には、上記スキャナユニットが上記リーダスクリーン上の上記光路に進入する方向に移動されて画像光が走査されることによりスキャニングが実行される（スキャニングモード）。
【０００６】
上述のようなマイクロフィルムスキャナにおいては、スキャン動作は外部接続されたホストコンピュータから入力される走査条件、または画像読み取り装置本体に配設された本体操作部から入力される走査条件に基づいて上記画像を走査する条件を設定するようにしている。外部装置から入力される走査条件に従って画像を走査する例としては、例えば特許文献１に開示されている。
【０００７】
ホストコンピュータによって走査条件が設定された後に、本体操作部によって走査条件の内容が変更されることがある。このような場合、上記本体操作部によって変更され走査条件に従って画像走査が行われると、ホストコンピュータの設定に違反した走査が行われてしまう。
【０００８】
上述のような走査が行われると、例えば、スキャンサイズを間違えてしまうような不都合が発生して、最悪の場合には画像データがスクランブル状態になってしまうことがある。そこで、従来はホストコンピュータが外部接続された場合には、本体操作部の操作が全て無効になるようにしていた。
【０００９】
【特許文献１】特開平１０−２８９３０８号公報
【発明の開示】
【発明が解決しようとする課題】
【００１０】
ホストコンピュータが外部接続されると、画像読み取り装置に配設されている本体操作部の操作が全て無効になってしまうので、僅かな走査条件の変更であっても、ホストコンピュータの側まででかけて行って操作しなければならないので、画像を走査する条件を設定する際の作業性が著しく悪い問題があった。
【００１１】
本発明は上述の問題点にかんがみ、僅かな走査条件の変更の場合には画像読み取り装置に配設された本体操作部を走査して行うことができるようにすることを目的とする。
【課題を解決するための手段】
【００１２】
本発明の画像読み取り装置は、記録媒体に形成されている複数の画像を所定位置に順次搬送し、上記所定位置に搬送された画像を画像読取手段によって走査して画像データを得る画像読み取り装置であって、上記画像読み取り装置に接続されたホストコンピュータから入力される走査条件、または画像読み取り装置本体に配設された本体操作部から入力される走査条件に基づいて上記画像を走査する条件を設定する走査条件設定手段を含む制御手段を具備し、上記制御手段は、上記走査条件設定手段によって上記ホストコンピュータから設定された走査条件に従って上記画像読取手段に上記画像を走査させ、画像走査動作を開始する前に上記本体操作部から走査条件が入力された場合は、上記本体操作部から入力された走査条件を反映した条件に従って上記画像読取手段に上記画像を走査させることを特徴とする。
また、本発明の画像読み取り装置の他の特徴とするところは、記録媒体に形成されている画像を画像読取手段によって走査して画像データを得る画像読み取り装置であって、上記画像読み取り装置に接続されたホストコンピュータから入力される走査条件、または画像読み取り装置本体に配設された本体操作部から入力される走査条件に基づいて上記画像を走査する条件を設定する走査条件設定手段を含む制御手段を具備し、上記制御手段は、上記走査条件設定手段によって上記ホストコンピュータから設定された走査条件に従って上記画像読取手段に上記画像を走査させ、画像走査動作を開始する前に上記本体操作部から走査条件が入力された場合は、上記本体操作部から入力された走査条件を反映した条件に従って上記画像読取手段に上記画像を走査させることを特徴とする。
【００１３】
本発明の画像読み取り方法は、記録媒体に形成されている複数の画像を所定位置に順次搬送し、上記所定位置に搬送された画像を画像読み取り装置の画像読取手段で走査して画像データを得る画像読み取り方法であって、上記画像読み取り装置に接続されたホストコンピュータから入力される走査条件、または画像読み取り装置本体に配設された本体操作部から入力される走査条件に基づいて上記画像を走査する条件を設定する走査条件設定工程を含む制御工程を有し、上記制御工程においては、上記走査条件設定工程において上記ホストコンピュータから設定された走査条件に従って上記画像読取手段に上記画像を走査させ、画像走査動作を開始する前に上記本体操作部から走査条件が入力された場合は、上記本体操作部から入力された走査条件を反映した条件に従って上記画像読取手段に上記画像を走査させることを特徴とする。
また、本発明の画像読み取り方法の他の特徴とするところは、記録媒体に形成されている画像を画像読み取り装置の画像読取手段で走査して画像データを得る画像読み取り方法であって、上記画像読み取り装置に接続されたホストコンピュータから入力される走査条件、または画像読み取り装置本体に配設された本体操作部から入力される走査条件に基づいて上記画像を走査する条件を設定する走査条件設定工程を含む制御工程を有し、上記制御工程においては、上記走査条件設定工程において上記ホストコンピュータから設定された走査条件に従って上記画像読取手段に上記画像を走査させ、画像走査動作を開始する前に上記本体操作部から走査条件が入力された場合は、上記本体操作部から入力された走査条件を反映した条件に従って上記画像読取手段に上記画像を走査させることを特徴とする。
【００１４】
本発明の記憶媒体は、上記の何れかの画像読み取り装置を構成する手段としてコンピュータを機能させるためのプログラムを格納したことを特徴とする
また、本発明の記憶媒体の他の特徴とするところは、上記の何れかの画像読み取り方法の工程をコンピュータに実行させるためのプログラムを格納したことを特徴とする
【発明の効果】
【００１５】
本発明によれば、僅かな変更のためにホストコンピュータ側に出向く手間を省略して作業効率を向上させることができる。
【発明を実施するための最良の形態】
【００１６】
以下、本発明の画像読み取り装置、画像読み取り方法及び記憶媒体の一実施の形態を図面を参照して説明する。
図１は、本発明の実施の形態を示し、マイクロフィルムスキャナの概略構成を示す正面図、図２は上記マイクロフィルムスキャナ内の光学系の構成を示す斜視図である。
【００１７】
図１は、本発明の実施の形態を示し、マイクロフィルムスキャナの概略構成を示す正面図である。
図１において、６００はマイクロフィルムスキャナ、６１０は上記マイクロフィルムスキャナに装着されたロールフィルムキャリア、１８０はリーダスクリーン、１８１は表示画面、１６は投影レンズである。
【００１８】
本実施の形態においては、後述するように、ロールフィルムキャリア６１０の画像コマ自動検索動作でロールマイクロフィルムＦの所望の画像コマ部分が投影位置である投影ガラス部Ａに検索される。
【００１９】
そして、上記画像コマ部分が上記投影ガラス部Ａの下側において上記マイクロフィルムキャリア本体側に配置されている光源ランプ１４、球面ミラー１４ａ、コンデンサレンズ１５等からなる照明手段により下面より照明され、その照明光のフィルム透過光が投影レンズ１６、プリズムレンズ１８、及び固定の第１のミラー４１〜第４のミラー４４からなるリーダー部光学系によってリーダスクリーン（光学拡散板）１８０の裏面に所定の倍率で拡大投影される。これにより、上記リーダスクリーン１８０の表面側からマイクロイメージを拡大像として閲覧することができるようになる（リーダモード）。
【００２０】
スキャナユニット８０上には、イメージセンサ４８が配置されており、リーダモード時にはリーダスクリーン１８０の上部に配置され、上記光路から待避した状態位置に保持されている。
【００２１】
そして、上記リーダスクリーン１８０に拡大投影されたマイクロイメージのスキャニングを行いたい場合には、後述するホストコンピュータまたは本体操作部からスキャン指示が行われることで、スキャナユニット８０がモータ８１に接続されているベルト８２によりリーダスクリーン１８０上の上記光路に進入する方向（図２中の矢印ｅ−ｆ）に移動されて、上記イメージセンサ４８によって画像光が走査されてスキャニングが実行される（スキャニングモード）。
【００２２】
図３は、本実施の形態の画像読み取り装置の概略構成を示すブロック図である。本実施の形態においては、接続機器としてホストコンピュータ２８０やプリンタ２９０が接続されている。
この画像読み取り装置２００は、上記ロールフィルムキャリア６１０にセットされたマイクロフィルムＦをイメージセンサ２１１によってスキャンすることで原稿上の画像情報を取得するスキャナユニット２１０を有している。
【００２３】
また、スキャナユニット２１０の駆動部２６０と、スキャナユニット２１０にて得られた画像情報に対して階調変換や画像合成等の画像処理を行う画像処理部２２０と、画像処理部２２０での画像処理後の画像情報を記憶するためのイメージメモリ２３０と、画像読み取り装置２００本体に接続可能なホストコンピュータ（パソコン）２８０及びプリンタ２９０と通信するための通信部２４０と、画像情報読み取りのための様々な設定を行うための操作部（オペレーションパネル）２７０と、画像読み取り装置２００全体の動作制御を司るＣＰＵ２５０とを含む構成となっている。そして、上記ＣＰＵ２５０により、本実施の形態のスキャン条件設定部２５１がプログラム構成されている。
【００２４】
上述のように構成された本実施の形態の画像読み取り装置２００は、基本的にはホストコンピュータ２８０からの指示によって動作するものであるが、後述するように、指示内容によっては操作部２７０からの指示によって動作が可能なようになされている。
【００２５】
本実施の形態の画像読み取り装置２００が対象とするマイクロフィルムＦは、図４（ａ）に示すようなネガフィルム、及び図４（ｂ）に示すようなポジフィルムの両方を良好にスキャンして画像データを得ることができる。
【００２６】
また、図５（ａ）に示すような左基準、図５（ｂ）に示すような「センター」、図５（ｃ）に示すような「連写」を任意に選択することができる。
【００２７】
また、図６に示すように、操作部２７０にはフィルム指定部１６９、投影位置指定部１６７、サイズ指定部１６１等が設けられている。そして、上記フィルム指定部１６９には選択ボタン１７０、投影位置指定部１６７には選択ボタン１６８、サイズ指定部１６１には選択ボタン１６２が設けられている。
【００２８】
そして、図６に示すように、フィルムとして「ポジフィルム」が選択され、投影基準位置として「センター」が選択され、スキャン領域サイズとして定型の「Ａ３」が選択されると、図６（ａ）に示すように、フィルムの各画像コマがセンター（中央）基準でＡ３サイズでリーダスクリーン１８０に投影される。
【００２９】
また、図７（ａ）及び（ｂ）に示すように、フィルムとして「ネガフィルム」が選択され、投影基準位置として「左基準」が選択され、スキャン領域サイズとして定型の「Ａ４」が選択されると、図７（ａ）に示すように、フィルムの各画像コマが「左基準」、サイズが「Ａ４サイズ」の態様でリーダスクリーン１８０の表示面１８１に投影される。
【００３０】
次に、本実施の形態の画像読み取り装置２００の主要な特徴である画像操作方法を図８及び図９のフローチャートを参照しながら説明する。
図８のフローチャートは、画像読み取り装置２００に接続されたホストコンピュータ２８０が画像走査動作を開始した後は、上記オペレーションパネル２７０から入力される走査条件に拘わらず、上記ホストコンピュータ２８０によって設定された走査条件に従って上記画像を走査する場合の手順を示している。
【００３１】
この場合、処理が開始されると、最初のステップＳ０において初期設定が行われる。次に、ステップＳ１に進み、ホストコンピュータ２８０からの指令があるか否かを判断する。
【００３２】
そして、指令があった場合にはステップＳ２において、その指令がスキャン指令か否かを判断する。この判断の結果、上記指令がスキャン指令であった場合には、ステップＳ３に進み、第１のパラメータ群Ａを用いてスキャン条件を設定してスキャン動作を開始する。ここで、上記第１のパラメータ群Ａは、ホストコンピュータ２８０から入力される走査パラメータによって構成されている。
【００３３】
一方、上記ステップＳ１の判断の結果、ホストコンピュータ２８０からの指令でない場合にはステップＳ１からステップＳ４に進み、オペレーションパネル２７０が操作されたか否かを判断する。
【００３４】
この判断の結果、オペレーションパネル２７０が操作されていない場合にはステップＳ１に戻る。また、オペレーションパネル２７０が操作された場合にはステップＳ５に進み、第２のパラメータ群Ｂを変更する。
【００３５】
また、ステップＳ２の判断の結果、ホストコンピュータ２８０からの指令がスキャン指令ではなかった場合には、ステップＳ６に進んでパラメータ取得コマンドか否かを判断する。この判断の結果、上記指令がパラメータ取得コマンドであった場合には、ステップＳ７に進んで第２のパラメータ群Ｂをホストコンピュータ２８０に送信し、その後ステップＳ８に進む。ステップＳ８では、ホストコンピュータ２８０において、受信した第２のパラメータ群Ｂを第１のパラメータ群Ａにコピーする。
【００３６】
ステップＳ６の判断の結果、ホストコンピュータ２８０からの指令がパラメータ取得コマンドでなかった場合には、ステップＳ９に進み、パラメータ設定コマンドであるか否かを判断し、パラメータ設定コマンドであった場合にはステップＳ１０に進んで第１のパラメータ群Ａに受信する。
【００３７】
本実施の形態の画像読み取り装置２００は、上述のようにして画像スキャンを行うので、ホストコンピュータ２８０がスキャン動作を開始した後でオペレーションパネル２７０が操作されて走査条件が変更されても、ホストコンピュータ２８０が認識していないスキャンが行われるのを有効に防止することができる。
【００３８】
これにより、例えば、ホストコンピュータ２８０がスキャンサイズを間違えてしまうような不都合が発生することがないので、サイズが異なることによって画像データがスクランブル状態になってしまう不都合を防止することができる。
【００３９】
次に、図９のフローチャートを参照しながら本発明の画像読み取り方法の第２の実施の形態を説明する。
上記図８のフローチャートで示した画像スキャン方法は、ホストコンピュータ２８０がスキャン動作を開始した後は、オペレーションパネル２７０の操作を無視するようにしたが、本実施の形態においては、上記ホストコンピュータ２８０が画像走査動作を開始した後であっても、ある条件下では上記オペレーションパネル２７０から入力されるスキャン条件の変更を許容するようにしている。
【００４０】
本実施の形態の場合、処理が開始されると、最初のステップＳ２０において初期設定が行われる。次に、ステップＳ２１に進み、ホストコンピュータ２８０からの指令があるか否かを判断する。
【００４１】
そして、指令があった場合にはステップＳ２２において、その指令がスキャン指令か否かを判断する。この判断の結果、上記指令がスキャン指令であった場合には、ステップＳ２３に進み、走査パラメータに応じたスキャン条件を設定してスキャン動作を開始する。
【００４２】
一方、上記ステップＳ２１の判断の結果、ホストコンピュータ２８０からの指令でない場合にはステップＳ２１からステップＳ２４に進み、オペレーションパネル２７０が操作されたか否かを判断する。
【００４３】
この判断の結果、オペレーションパネル２７０が操作されていない場合にはステップＳ２１に戻る。また、オペレーションパネル２７０が操作された場合にはステップＳ２５に進み、オペレーションパネル２７０から入力された指令に基づいて走査パラメータの変更が可能か否かを判断する。ここで、走査パラメータの変更が不可能であるのはスキャンサイズの変更であり、それ以外の変更の場合には、画像モードが多少変更されても変更可能と判断するようにしている。
【００４４】
ステップＳ２５の判断の結果、走査パラメータの変更が可能である場合にはステップＳ２６に進み、パラメータ群に変更を加え、その後、ステップＳ２１に戻る。
【００４５】
また、ステップＳ２２の判断の結果、ホストコンピュータ２８０からの指令がスキャン指令ではなかった場合には、ステップＳ２７に進んでパラメータ取得コマンドか否かを判断する。この判断の結果、上記指令がパラメータ取得コマンドであった場合には、ステップＳ２８に進んでパラメータ群をホストコンピュータ２８０に送信し、その後ステップＳ２１に進む。
【００４６】
ステップＳ２７の判断の結果、ホストコンピュータ２８０からの指令がパラメータ取得コマンドでなかった場合には、ステップＳ２９に進み、パラメータ設定コマンドであるか否かを判断し、パラメータ設定コマンドであった場合にはステップＳ３０に進んでパラメータ群に受信する。
【００４７】
本実施の形態の画像読み取り装置２００は、上述のようにして画像スキャンを行うので、ホストコンピュータ２８０がスキャン動作を開始した後であっても、オペレーションパネル２７０を操作して走査条件を変更することができる。これにより、リーダスクリーン１８０の近傍でスキャン設定を行うことが可能となり、僅かな変更のためにホストコンピュータ２８０の側に出向く手間を省略して作業効率を向上させることができる。
【００４８】
（本発明の他の実施形態）
本発明は複数の機器（例えば、ホストコンピュータ、インタフェース機器、リーダ、プリンタ等）から構成されるシステムに適用しても１つの機器からなる装置に適用しても良い。
【００４９】
また、上述した実施形態の機能を実現するように各種のデバイスを動作させるように、上記各種デバイスと接続された装置あるいはシステム内のコンピュータに対し、上記実施形態の機能を実現するためのソフトウェアのプログラムコードを供給し、そのシステムあるいは装置のコンピュータ（ＣＰＵあるいはＭＰＵ）に格納されたプログラムに従って上記各種デバイスを動作させることによって実施したものも、本発明の範疇に含まれる。
【００５０】
また、この場合、上記ソフトウェアのプログラムコード自体が上述した実施形態の機能を実現することになり、そのプログラムコード自体、およびそのプログラムコードをコンピュータに供給するための手段、例えばかかるプログラムコードを格納した記憶媒体は本発明を構成する。かかるプログラムコードを記憶する記憶媒体としては、例えばフロッピー（登録商標）ディスク、ハードディスク、光ディスク、光磁気ディスク、ＣＤ−ＲＯＭ、磁気テープ、不揮発性のメモリカード、ＲＯＭ等を用いることができる。
【００５１】
また、コンピュータが供給されたプログラムコードを実行することにより、上述の実施形態の機能が実現されるだけでなく、そのプログラムコードがコンピュータにおいて稼働しているＯＳ（オペレーティングシステム）あるいは他のアプリケーションソフト等の共同して上述の実施形態の機能が実現される場合にもかかるプログラムコードは本発明の実施形態に含まれることは言うまでもない。
【００５２】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
【００５３】
本実施の形態は上述したように、本実施の形態によれば、ホストコンピュータが画像走査動作を開始した後は、上記本体操作部から入力される走査条件に拘わらず、上記ホストコンピュータによって設定された走査条件に従って上記画像を走査するようにしたので、ホストコンピュータがスキャン動作を開始した後で本体操作部が操作されて走査条件が変更されても、ホストコンピュータが認識していないスキャンが行われるのを有効に防止することができる。これにより、上記ホストコンピュータがスキャンサイズを間違えてしまう不都合を確実に防ぐことができ、走査サイズが異なることによって画像データがスクランブル状態になってしまう不都合を防止することができる。
【００５４】
また、上記ホストコンピュータが画像走査動作を開始した後に本体操作部から変更指令があった場合に、上記変更指令に基づいて画像走査を行うことが可能である場合には、上記本体操作部からの入力によって設定された走査条件に従って上記画像を走査するようにしたので、ホストコンピュータがスキャン動作を開始した後であっても、本体操作部を操作して走査条件を変更することができる。これにより、画像読み取り装置の近傍でスキャン設定を行うことが可能となり、僅かな変更のためにホストコンピュータの側に出向く手間を省略して作業効率を向上させることができる。
【図面の簡単な説明】
【００５５】
【図１】本発明の一実施の形態を示し、画像読み取り装置の正面図である。
【図２】マイクロフィルムスキャナ内の光学系の構成を示す斜視図である。
【図３】画像読み取り装置の概略構成を示すブロック図である。
【図４】実施の形態の画像読み取り装置で取扱いが可能なフィルムの一例を示す図である。
【図５】リーダスクリーンに投影する際の基準を説明する図である。
【図６】リーダスクリーンに画像をＡ３サイズでセンター表示している様子を示す図である。
【図７】リーダスクリーンに画像をＡ４サイズで左基準で表示している様子を示す図である。
【図８】実施の形態のスキャン動作の第１の例を示すフローチャートである。
【図９】実施の形態のスキャン動作の第２の例を示すフローチャートである。
【符号の説明】
【００５６】
２００  画像読み取り装置
２１０  スキャナユニット
２１１  イメージセンサ
２２０  画像処理部
２３０  イメージメモリ
２４０  通信部
２５０  ＣＰＵ
２５２  スキャン条件設定部
２６０  駆動部
２７０  操作部（オペレーションパネル）
２８０  ホストコンピュータ
２９０  プリンタ
６１０  ロールフィルムキャリア
Ｆ  マイクロフィルム
【図１】
2008219941.tif 000003
【図２】
2008219941.tif 000004
【図３】
2008219941.tif 000005
【図４】
2008219941.tif 000006
【図５】
2008219941.tif 000007
【図６】
2008219941.tif 000008
【図７】
2008219941.tif 000009
【図８】
2008219941.tif 000010
【図９】
2008219941.tif 000011
【手続補正書】
【提出日】平成20年6月10日(2008.6.10)
【手続補正１】
【補正対象書類名】特許請求の範囲
【補正対象項目名】全文
【補正方法】変更
【補正の内容】
【特許請求の範囲】
【請求項１】
記録媒体に形成されている複数の画像を所定位置に順次搬送し、上記所定位置に搬送された画像を画像読取手段によって走査して画像データを得る画像読み取り装置であって、上記画像読み取り装置に接続されたホストコンピュータから入力される走査条件、または画像読み取り装置本体に配設された本体操作部から入力される走査条件に基づいて上記画像を走査する複数の条件を設定する走査条件設定手段を含む制御手段を具備し、
上記制御手段は、上記走査条件設定手段によって上記ホストコンピュータから設定された走査条件に従って上記画像読取手段に上記画像を走査させ、画像走査動作を開始する前に上記本体操作部から一部の走査条件が入力された場合は、上記本体操作部から入力された上記一部の走査条件を反映した条件に従って上記画像読取手段に上記画像を走査させることを特徴とする画像読み取り装置。
【請求項２】
上記画像読み取り装置は、画像情報を画面表示する表示手段を備え、上記表示手段に投影された画像を走査手段により走査して画像データを得ることを特徴とする請求項１に記載の画像読み取り装置。
【請求項３】
上記記録媒体はマイクロフィルムであることを特徴とする請求項１又は２に記載の画像読み取り装置。
【請求項４】
記録媒体に形成されている複数の画像を所定位置に順次搬送し、上記所定位置に搬送された画像を画像読み取り装置の画像読取手段で走査して画像データを得る画像読み取り方法であって、
上記画像読み取り装置に接続されたホストコンピュータから入力される走査条件、または画像読み取り装置本体に配設された本体操作部から入力される走査条件に基づいて上記画像を走査する複数の条件を設定する走査条件設定工程を含む制御工程を有し、
上記制御工程においては、上記走査条件設定工程において上記ホストコンピュータから設定された走査条件に従って上記画像読取手段に上記画像を走査させ、画像走査動作を開始する前に上記本体操作部から一部の走査条件が入力された場合は、上記本体操作部から入力された上記一部の走査条件を反映した条件に従って上記画像読取手段に上記画像を走査させることを特徴とする画像読み取り方法。
【請求項５】
上記画像読み取り装置は、画像情報を画面表示する表示手段を備え、上記表示手段に投影された画像を走査手段により走査して画像データを得ることを特徴とする請求項４に記載の画像読み取り方法。
【請求項６】
上記記録媒体はマイクロフィルムであることを特徴とする請求項４又は５に記載の画像読み取り方法。
【請求項７】
請求項１〜３の何れか１項に記載の画像読み取り装置を構成する手段としてコンピュータを機能させるためのプログラムを格納したことを特徴とするコンピュータ読み取り可能な記憶媒体。
【請求項８】
請求項４〜６の何れか１項に記載の画像読み取り方法の工程をコンピュータに実行させるためのプログラムを格納したことを特徴とするコンピュータ読み取り可能な記憶媒体。
【請求項９】
記録媒体に形成されている画像を画像読取手段によって走査して画像データを得る画像読み取り装置であって、
上記画像読み取り装置に接続されたホストコンピュータから入力される走査条件、または画像読み取り装置本体に配設された本体操作部から入力される走査条件に基づいて上記画像を走査する複数の条件を設定する走査条件設定手段を含む制御手段を具備し、
上記制御手段は、上記走査条件設定手段によって上記ホストコンピュータから設定された走査条件に従って上記画像読取手段に上記画像を走査させ、画像走査動作を開始する前に上記本体操作部から一部の走査条件が入力された場合は、上記本体操作部から入力された上記一部の走査条件を反映した条件に従って上記画像読取手段に上記画像を走査させることを特徴とする画像読み取り装置。
【請求項１０】
記録媒体に形成されている画像を画像読み取り装置の画像読取手段で走査して画像データを得る画像読み取り方法であって、
上記画像読み取り装置に接続されたホストコンピュータから入力される走査条件、または画像読み取り装置本体に配設された本体操作部から入力される走査条件に基づいて上記画像を走査する複数の条件を設定する走査条件設定工程を含む制御工程を有し、
上記制御工程においては、上記走査条件設定工程において上記ホストコンピュータから設定された走査条件に従って上記画像読取手段に上記画像を走査させ、画像走査動作を開始する前に上記本体操作部から一部の走査条件が入力された場合は、上記本体操作部から入力された上記一部の走査条件を反映した条件に従って上記画像読取手段に上記画像を走査させることを特徴とする画像読み取り方法。
【請求項１１】
請求項９に記載の画像読み取り装置を構成する手段としてコンピュータを機能させるためのプログラムを格納したことを特徴とするコンピュータ読み取り可能な記憶媒体。
【請求項１２】
請求項１０に記載の画像読み取り方法の工程をコンピュータに実行させるためのプログラムを格納したことを特徴とするコンピュータ読み取り可能な記憶媒体。
【手続補正２】
【補正対象書類名】明細書
【補正対象項目名】０００６
【補正方法】変更
【補正の内容】
【０００６】
上述のようなマイクロフィルムスキャナにおいては、スキャン動作は外部接続されたホストコンピュータから入力される走査条件、または画像読み取り装置本体に配設された本体操作部から入力される走査条件に基づいて上記画像を走査する条件を設定するようにしている。外部装置から入力されるジョブに含まれる走査条件に従って画像を走査する例としては、例えば特許文献１に開示されている。
【手続補正３】
【補正対象書類名】明細書
【補正対象項目名】０００９
【補正方法】変更
【補正の内容】
【０００９】
【特許文献１】特開平６−３３４７９５号公報
【手続補正４】
【補正対象書類名】明細書
【補正対象項目名】００１２
【補正方法】変更
【補正の内容】
【００１２】
本発明の画像読み取り装置は、記録媒体に形成されている複数の画像を所定位置に順次搬送し、上記所定位置に搬送された画像を画像読取手段によって走査して画像データを得る画像読み取り装置であって、上記画像読み取り装置に接続されたホストコンピュータから入力される走査条件、または画像読み取り装置本体に配設された本体操作部から入力される走査条件に基づいて上記画像を走査する複数の条件を設定する走査条件設定手段を含む制御手段を具備し、上記制御手段は、上記走査条件設定手段によって上記ホストコンピュータから設定された走査条件に従って上記画像読取手段に上記画像を走査させ、画像走査動作を開始する前に上記本体操作部から一部の走査条件が入力された場合は、上記本体操作部から入力された上記一部の走査条件を反映した条件に従って上記画像読取手段に上記画像を走査させることを特徴とする。
また、本発明の画像読み取り装置の他の特徴とするところは、記録媒体に形成されている画像を画像読取手段によって走査して画像データを得る画像読み取り装置であって、上記画像読み取り装置に接続されたホストコンピュータから入力される走査条件、または画像読み取り装置本体に配設された本体操作部から入力される走査条件に基づいて上記画像を走査する複数の条件を設定する走査条件設定手段を含む制御手段を具備し、上記制御手段は、上記走査条件設定手段によって上記ホストコンピュータから設定された走査条件に従って上記画像読取手段に上記画像を走査させ、画像走査動作を開始する前に上記本体操作部から一部の走査条件が入力された場合は、上記本体操作部から入力された上記一部の走査条件を反映した条件に従って上記画像読取手段に上記画像を走査させることを特徴とする。
【手続補正５】
【補正対象書類名】明細書
【補正対象項目名】００１３
【補正方法】変更
【補正の内容】
【００１３】
本発明の画像読み取り方法は、記録媒体に形成されている複数の画像を所定位置に順次搬送し、上記所定位置に搬送された画像を画像読み取り装置の画像読取手段で走査して画像データを得る画像読み取り方法であって、上記画像読み取り装置に接続されたホストコンピュータから入力される走査条件、または画像読み取り装置本体に配設された本体操作部から入力される走査条件に基づいて上記画像を走査する複数の条件を設定する走査条件設定工程を含む制御工程を有し、上記制御工程においては、上記走査条件設定工程において上記ホストコンピュータから設定された走査条件に従って上記画像読取手段に上記画像を走査させ、画像走査動作を開始する前に上記本体操作部から一部の走査条件が入力された場合は、上記本体操作部から入力された上記一部の走査条件を反映した条件に従って上記画像読取手段に上記画像を走査させることを特徴とする。
また、本発明の画像読み取り方法の他の特徴とするところは、記録媒体に形成されている画像を画像読み取り装置の画像読取手段で走査して画像データを得る画像読み取り方法であって、上記画像読み取り装置に接続されたホストコンピュータから入力される走査条件、または画像読み取り装置本体に配設された本体操作部から入力される走査条件に基づいて上記画像を走査する複数の条件を設定する走査条件設定工程を含む制御工程を有し、上記制御工程においては、上記走査条件設定工程において上記ホストコンピュータから設定された走査条件に従って上記画像読取手段に上記画像を走査させ、画像走査動作を開始する前に上記本体操作部から一部の走査条件が入力された場合は、上記本体操作部から入力された上記一部の走査条件を反映した条件に従って上記画像読取手段に上記画像を走査させることを特徴とする。
【手続補正６】
【補正対象書類名】明細書
【補正対象項目名】００３０
【補正方法】変更
【補正の内容】
【００３０】
次に、本実施の形態の画像読み取り装置２００の主要な特徴である画像操作方法を図８及び図９のフローチャートを参照しながら説明する。
図８のフローチャートは、画像読み取り装置２００に接続されたホストコンピュータ２８０からの指示により画像走査動作を開始した後は、上記オペレーションパネル２７０から入力される走査条件に拘わらず、上記ホストコンピュータ２８０によって設定された走査条件に従って上記画像を走査する場合の手順を示している。
【手続補正７】
【補正対象書類名】明細書
【補正対象項目名】００３５
【補正方法】変更
【補正の内容】
【００３５】
また、ステップＳ２の判断の結果、ホストコンピュータ２８０からの指令がスキャン指令ではなかった場合には、ステップＳ６に進んでパラメータ取得コマンドか否かを判断する。この判断の結果、上記指令がパラメータ取得コマンドであった場合には、ステップＳ７に進んで第２のパラメータ群Ｂをホストコンピュータ２８０に送信し、その後ステップＳ８に進む。ステップＳ８では、ホストコンピュータ２８０から後述するステップＳ１０で受信した第１のパラメータ群Ａに第２のパラメータ群Ｂをコピーする。
【手続補正８】
【補正対象書類名】明細書
【補正対象項目名】００３６
【補正方法】変更
【補正の内容】
【００３６】
ステップＳ６の判断の結果、ホストコンピュータ２８０からの指令がパラメータ取得コマンドでなかった場合には、ステップＳ９に進み、パラメータ設定コマンドであるか否かを判断し、パラメータ設定コマンドであった場合にはステップＳ１０に進んでホストコンピュータ２８０から第１のパラメータ群Ａを受信する。
【手続補正９】
【補正対象書類名】明細書
【補正対象項目名】００３７
【補正方法】変更
【補正の内容】
【００３７】
本実施の形態の画像読み取り装置２００は、上述のようにして画像スキャンを行うので、ホストコンピュータ２８０からの指示によりスキャン動作を開始する前だけオペレーションパネル２７０を操作することで走査条件の変更が可能であり、走査条件が変更される場合にはパラメータ取得コマンドによりホストコンピュータ２８０にパラメータ群Ｂを送信するので、ホストコンピュータ２８０が認識していないスキャンが行われるのを有効に防止することができる。
【手続補正１０】
【補正対象書類名】明細書
【補正対象項目名】００３９
【補正方法】変更
【補正の内容】
【００３９】
次に、図９のフローチャートを参照しながら本発明の画像読み取り方法の第２の実施の形態を説明する。
上記図８のフローチャートで示した画像スキャン方法は、ホストコンピュータ２８０からの指示によりスキャン動作を開始した後は、オペレーションパネル２７０の操作を無視し、スキャン動作を開始する前はオペレーションパネル２７０の操作によるスキャン条件の変更を許容するようにしたが、本実施の形態においては、ホストコンピュータ２８０からの指示によりスキャン動作を開始する前は、上記オペレーションパネル２７０の操作によるスキャン条件の変更を一部のみ許容するようにしている。
【手続補正１１】
【補正対象書類名】明細書
【補正対象項目名】００４６
【補正方法】変更
【補正の内容】
【００４６】
ステップＳ２７の判断の結果、ホストコンピュータ２８０からの指令がパラメータ取得コマンドでなかった場合には、ステップＳ２９に進み、パラメータ設定コマンドであるか否かを判断し、パラメータ設定コマンドであった場合にはステップＳ３０に進んでホストコンピュータ２８０から上記パラメータ群を受信する。
【手続補正１２】
【補正対象書類名】明細書
【補正対象項目名】００４７
【補正方法】変更
【補正の内容】
【００４７】
本実施の形態の画像読み取り装置２００は、上述のようにして画像スキャンを行うので、ホストコンピュータ２８０からの指示によりスキャン動作を開始する前は、オペレーションパネル２７０を操作して一部の走査条件のみ変更することができる。すなわち、ホストコンピュータ２８０が走査条件の変更を知らずに画像データを受け取ったときに画像データがスクランブル状態にならない走査条件の変更のみ許容される。これにより、画像データの乱れを起こすことなくリーダスクリーン１８０の近傍でスキャン設定を行うことが可能となり、許容される範囲内の変更については僅かな変更のためにホストコンピュータ２８０の側に出向く手間を省略して作業効率を向上させることができる。
【手続補正１３】
【補正対象書類名】明細書
【補正対象項目名】００５３
【補正方法】変更
【補正の内容】
【００５３】
本実施の形態は上述したように、本実施の形態によれば、ホストコンピュータからの指示により画像走査動作を開始した後は、上記本体操作部から入力される走査条件に拘わらず、上記ホストコンピュータによって設定された走査条件に従って上記画像を走査するようにしたので、スキャン動作を開始した後で本体操作部が操作されて走査条件が変更されても、ホストコンピュータが認識していないスキャンが行われるのを有効に防止することができる。
【手続補正１４】
【補正対象書類名】明細書
【補正対象項目名】００５４
【補正方法】変更
【補正の内容】
【００５４】
また、画像走査動作の開始前に本体操作部を操作して、ホストコンピュータから入力された走査条件を変更することができるので、画像読み取り装置の近傍でスキャン設定を行うことが可能となり、僅かな変更のためにホストコンピュータの側に出向く手間を省略して作業効率を向上させることができる。
【手続補正１５】
【補正対象書類名】明細書
【補正対象項目名】００５６
【補正方法】変更
【補正の内容】
【００５６】
２００  画像読み取り装置
２１０  スキャナユニット
２１１  イメージセンサ
２２０  画像処理部
２３０  イメージメモリ
２４０  通信部
２５０  ＣＰＵ
２５１  スキャン条件設定部
２６０  駆動部
２７０  操作部（オペレーションパネル）
２８０  ホストコンピュータ
２９０  プリンタ
６１０  ロールフィルムキャリア
Ｆ  マイクロフィルム
【手続補正１６】
【補正対象書類名】図面
【補正対象項目名】図３
【補正方法】変更
【補正の内容】
【図３】
2008219941.tif 000012